(57)【特許請求の範囲】
【請求項１】
貫通孔部を有する扉板と、この扉板の裏側に配置されて表面が上記貫通孔部に嵌合されて上記扉板の表面位置に配置され、両側の端面にそれぞれ係止溝が設けられた窓ガラスと、上記扉板の裏側に設けられて中央部に上方に開口して縁部が上記係止溝にそれぞれ嵌合したＵ字状の保持部を有する保持材及びこの保持材を上記扉板に締結する締結具によって構成され、上記窓ガラスの上記貫通孔部に対する前後方向位置を所定位置に保持する保持手段とを備えたエレベーターの窓付扉。
【発明の詳細な説明】
【０００１】
【発明の属する技術分野】
この発明は、扉板の貫通孔部に窓ガラスが装備されたエレベーターの窓付扉に関する。
【０００２】
【従来の技術】
図１１及び図１２は、従来のエレベーターの窓付扉を示す図で、図１１は裏面の要部斜視図、図１２は図１１のＡ−Ａ線断面拡大図である。１は両側の側縁部がそれぞれ裏面側へ屈折された扉板、２は扉板１に設けられた貫通孔部、３は扉板１の裏面に装着されて貫通孔部２の下縁部近くに配置された水平補強材、４は扉板１の裏側に貫通孔部２を覆って配置されて下端が水平補強材３に支持された窓ガラスである。
【０００３】
５は扉板１の裏面に設けられた保持材で、窓ガラス４の両側の側縁部にそれぞれ配置されると共に、一側が扉板１の裏面に対面し他側は窓ガラス４の側縁部に重合して配置されている。６は扉板１の裏面に立設されて対向した保持材５に挿通されたねじ棒とこのねじ棒にねじ込まれたナットからなる締結具、７は窓ガラス４と保持材５との重合部の相互間に介装された押えゴムである。
【０００４】
従来のエレベーターの窓付扉は上記のように構成され、扉板１の貫通孔部２を覆って窓ガラス４が配置され、締結具６によって保持材５、押えゴム７を介して窓ガラス４を所定位置に保持するようになっている。
【０００５】
【発明が解決しようとする課題】
上記のような従来のエレベーターの窓付扉において、扉板１の貫通孔部２の端面が扉板１の表側から見えるため、貫通孔部２端面が手作業によって美麗に仕上げられる。このため、煩雑な手数が掛かるという問題点があった。
【０００６】
この発明は、かかる問題点を解消するためになされたものであり、扉板の貫通孔部端面が露出しないエレベーターの窓付扉を得ることを目的とする。
【０００７】
【課題を解決するための手段】
この発明に係るエレベーターの窓付扉においては、貫通孔部を有する扉板と、扉板の裏側に配置されて表面が貫通孔部に嵌合されて扉板の表面位置に配置され、両側の端面にそれぞれ係止溝が設けられた窓ガラスと、扉板の裏側に設けられて中央部に上方に開口して縁部が係止溝にそれぞれ嵌合したＵ字状の保持部を有する保持材及びこの保持材を扉板に締結する締結具によって構成され、窓ガラスの貫通孔部に対する前後方向位置を所定位置に保持する保持手段とが設けられる。
【０００８】
【発明の実施の形態】
実施の形態１．
図１及び図２は、この発明の実施の形態の一例を示す図で、図１は裏面の要部斜視図、図２は図１のＢ−Ｂ線断面拡大図である。図において、１は両側の側縁部がそれぞれ裏面側へ屈折された扉板、２は扉板１に設けられた貫通孔部で、端面が扉板１の表側が貫通孔部２の中心寄りに傾斜した斜面８によって形成されている。９は窓ガラスで、扉板１の裏側に貫通孔部２を覆って配置されている。
【０００９】
１０は窓ガラス９の扉板１側端面に形成された嵌合部で、貫通孔部２の斜面８に対応した斜面によって構成されている。５は扉板１の裏面に設けられた保持材で、窓ガラス９の両側の側縁部にそれぞれ配置されると共に、一側が扉板１の裏面に対面し他側は窓ガラス９の側縁部に重合して配置されている。６は扉板１の裏面に立設されて対向した保持材５に挿通されたねじ棒とこのねじ棒にねじ込まれたナットからなる締結具である。
【００１０】
１１は扉板１裏面の貫通孔部２縁部、保持材５、窓ガラス９の側部端面との間に配置されて窓ガラス９の嵌合部１０に対向して設けられた押えゴムである。１２は保持手段で、扉板１貫通孔部２縁部の斜面８、貫通孔部２に嵌合された窓ガラス９の嵌合部１０、保持材５及び締結具６によって構成されて窓ガラス９の貫通孔部２に対する前後方向位置を所定位置に保持する。
【００１１】
上記のように構成されたエレベーターの窓付扉において、窓ガラス９の嵌合部１０が扉板１の貫通孔部２に嵌合され、貫通孔部２を覆って配置される。これと共に、保持材５により窓ガラス９が嵌合部１０を介して貫通孔部２の斜面８に押圧される。この状態において、保持手段１２により窓ガラス９の貫通孔部２に対する前後方向位置が所定位置に保持され、また窓ガラス９の表面が扉板１の表面と一致した位置に配置される。
【００１２】
また、窓ガラス９の表面が扉板１の表面と一致した状態では、貫通孔部２の端面、すなわち斜面８が嵌合部１０によって覆われて扉板１の表側から見えることはない。したがって、貫通孔部２の端面を手作業によって美麗に仕上げる必要がなく、少ない手数により安価に製作できると共に美観を呈するエレベーターの窓付扉を得ることができ生産性を向上することができる。
【００１３】
また、窓ガラス９の表面が扉板１の表面と一致した状態では、貫通孔部２の端面に塵埃が溜まることがなく美観を保つことができる。また、貫通孔部２に窓ガラス９の嵌合部１０が嵌合されるので、窓ガラス９の位置決めが容易にでき、また窓ガラス９の下端を支持する部材が不要になって生産性を向上することができる。
【００１４】
実施の形態２．
図３及び図４は、この発明の他の実施の形態の一例を示す図で、図３は裏面の要部斜視図、図４は図３のＣ−Ｃ線断面拡大図である。図において、図１及び図２と同符号は相当部分を示し、１３は貫通孔部２の側縁部に形成された斜面で、貫通孔部２の側縁部における扉板１がそれぞれ切り曲げされて裏面側へ屈折されて扉板１の裏側寄りが貫通孔部２の外側方向に傾斜している。９は窓ガラスで、扉板１の裏側に貫通孔部２を覆って配置されている。
【００１５】
１０は窓ガラス９の扉板１側端面に形成された嵌合部で、貫通孔部２の斜面１３に対応した斜面によって構成されている。１４は扉板１の裏面側に設けられた保持材で、一側が窓ガラス９の両側の側縁部にそれぞれ配置されると共に、他側は斜面１３に重合して配置されている。１５は保持材１４に挿通されて斜面１３にねじ込まれた取付ねじからなる締結具である。
【００１６】
１６は保持手段で、扉板１貫通開口部２縁部の斜面１３、貫通孔部２に嵌合された窓ガラス９の嵌合部１０、保持材１４及び締結具１５によって構成されて窓ガラス９の貫通孔部２に対する前後方向位置を所定位置に保持する。
【００１７】
上記のように構成されたエレベーターの窓付扉において、窓ガラス９の嵌合部１０が扉板１の貫通孔部２に嵌合され、また保持手段１６により窓ガラス９の貫通孔部２に対する前後方向位置が所定位置に保持され、斜面１３が扉板１の嵌合部１０によって覆われる。したがって、詳細な説明を省略するが図３及び図４の実施の形態においても図１及び図２の実施の形態と同様な作用が得られる。
【００１８】
実施の形態３．
図５及び図６も、この発明の他の実施の形態の一例を示す図で、図５は裏面の要部斜視図、図６は図５のＤ−Ｄ線断面拡大図である。図において、図１及び図２と同符号は相当部分を示し、１７は扉板１の表面から裏面側へ凹設された凹所で、中央部に貫通孔部２が設けられている。９は窓ガラスで、扉板１の表側に設けられて凹所１７内に嵌合されて、嵌合部１０には表面側から裏面側へ広がる方向に傾斜した斜面１８が形成されている。
【００１９】
１９は凹所１７内面と窓ガラス９の嵌合部１０外面の間に介装された押え金具で、横断面が溝形に形成されて、溝形の一方の開口端は凹所１７の扉板１表面寄り縁部に配置され、また溝形の底部外面は窓ガラス９の斜面１８に対応した傾斜面に形成され、また溝形の他方の開口端は凹所１７の引退隅部に配置されている。２０はゴム製のパッキングで、窓ガラス９と凹所１７底面の間及び窓ガラス９と押え金具１９傾斜面の間に介装されている。
【００２０】
２１は凹所１７底面に挿通されて押え金具１９の凹所１７引退隅部側にねじ込まれた取付ねじからなる締結具である。２２は保持手段で、扉板１の凹所１７、凹所１７内に配置された窓ガラス９の嵌合部１０、押え金具１９傾斜面及び締結具２１によって構成されて窓ガラス９の貫通孔部２に対する前後方向位置を所定位置に保持する。
【００２１】
上記のように構成されたエレベーターの窓付扉において、窓ガラス９の嵌合部１０が扉板１の凹所１７に嵌合され、また保持手段２２により窓ガラス９の貫通孔部２に対する前後方向位置が所定位置に保持され、貫通孔部２の端面が窓ガラス９によって覆われ、また凹所１７縁部が押え金具１９によって覆われる。したがって、詳細な説明を省略するが図５及び図６の実施の形態においても図１及び図２の実施の形態と同様な作用が得られる。
【００２２】
実施の形態４．
図７及び図８も、この発明の他の実施の形態の一例を示す図で、図７は裏面の要部斜視図、図８は図７のＥ−Ｅ線断面拡大図である。図において、図１及び図２と同符号は相当部分を示し、２３は窓ガラスで、表面側の嵌合部１０が貫通孔部２に嵌合されて扉板１の裏面側へ突出して設けられ、この突出部側面の両側にそれぞれ係止溝２４が設けられている。
【００２３】
２５は保持材で、中央部に上方に開口して縁部が窓ガラス２３の両側の係止溝２４にそれぞれ嵌合するＵ字状の保持部２６が設けられ、また幅方向の縁部は屈曲されて後退し扉板１の裏側の屈折部に重合されている。２７は保持材２５の扉板１裏側の屈折部に重合した縁部を扉板１裏側に締結した取付ねじからなる締結具である。
【００２４】
２８は保持手段で、窓ガラス２３の係止溝２４、保持材２５の保持部２６及び締結具２７によって構成されて窓ガラス２３の貫通孔部２に対する前後方向位置を所定位置に保持する。
【００２５】
上記のように構成されたエレベーターの窓付扉において、窓ガラス２３の嵌合部１０が扉板１の貫通孔部２に嵌合され、また保持手段２８により窓ガラス２３の貫通孔部２に対する前後方向位置が所定位置に保持されて、貫通孔部２の端面が窓ガラス２３によって覆われる。したがって、詳細な説明を省略するが図７及び図８の実施の形態においても図１及び図２の実施の形態と同様な作用が得られる。
【００２６】
実施の形態５．
図９及び図１０も、この発明の他の実施の形態の一例を示す図で、図９は裏面の要部斜視図、図１０は図９のＦ−Ｆ線断面拡大図である。図において、図１及び図２と同符号は相当部分を示し、２９は窓ガラスで、周縁部の表面側に後退した段差が形成されることによって嵌合部１０が構成されて、この嵌合部１０が貫通孔部２に嵌合されて扉板１の裏面側へ突出して設けられている。
【００２７】
３０は保持手段で、扉板１の貫通孔部２、貫通孔部２に嵌合された窓ガラス２９の嵌合部１０、保持材５及び締結具６によって構成されて窓ガラス２９の貫通孔部２に対する前後方向位置を所定位置に保持する。
【００２８】
上記のように構成されたエレベーターの窓付扉において、窓ガラス２９の嵌合部１０が扉板１の貫通孔部２に嵌合され、また保持手段３０により窓ガラス２９の貫通孔部２に対する前後方向位置が所定位置に保持されて、貫通孔部２の端面が窓ガラス２９の嵌合部１０によって覆われる。したがって、詳細な説明を省略するが図９及び図１０の実施の形態においても図１及び図２の実施の形態と同様な作用が得られる。
【００２９】
【発明の効果】
この発明は以上説明したように、貫通孔部を有する扉板と、扉板の裏側に配置されて表面が貫通孔部に嵌合されて扉板の表面位置に配置され、両側の端面にそれぞれ係止溝が設けられた窓ガラスと、扉板の裏側に設けられて中央部に上方に開口して縁部が係止溝にそれぞれ嵌合したＵ字状の保持部を有する保持材及びこの保持材を扉板に締結する締結具によって構成され、窓ガラスの貫通孔部に対する前後方向位置を所定位置に保持する保持手段とを設けたものである。
【００３０】
これによって、窓ガラスの嵌合部が扉板の貫通孔部に嵌合されて貫通孔部を覆って配置される。そして、保持手段により窓ガラスの貫通孔部に対する前後方向位置が所定位置に保持されて窓ガラスの表面が扉板の表面位置に配置される。したがって、貫通孔部の端面が窓ガラスの嵌合部によって覆われて扉板の表側から見えることはなく、貫通孔部端面の仕上げを要せず少ない手数で美観がよく安価に製作でき生産性を向上する効果がある。
【図面の簡単な説明】
【図１】この発明の実施の形態１を示す図で、裏面の要部斜視図。
【図２】図１のＢ−Ｂ線断面拡大図。
【図３】この発明の実施の形態２を示す図で、裏面の要部斜視図。
【図４】図３のＣ−Ｃ線断面拡大図。
【図５】この発明の実施の形態３を示す図で、裏面の要部斜視図。
【図６】図５のＤ−Ｄ線断面拡大図。
【図７】この発明の実施の形態４を示す図で、裏面の要部斜視図。
【図８】図７のＥ−Ｅ線断面拡大図。
【図９】この発明の実施の形態５を示す図で、裏面の要部斜視図。
【図１０】図９のＦ−Ｆ線断面拡大図。
【図１１】従来のエレベーターの窓付扉を示す図であり、裏面の要部斜視図。
【図１２】図１１のＡ−Ａ線断面拡大図。
【符号の説明】
１  扉板、２  貫通孔部、５  保持材、６  締結具、８  斜面、９  窓ガラス、１０  嵌合部、１２  保持手段、１３  斜面、１４  保持材、１５  締結具、１６  保持手段、１７  凹所、１８  斜面、１９  押え金具、２１  締結具、２２  保持手段、２３  窓ガラス、２４  係止溝、２５  保持材、２６  保持部、２７  締結具、２８  保持手段、２９  窓ガラス、３０  保持手段。
【図１】
0003599146.tif 000002
【図２】
0003599146.tif 000003
【図３】
0003599146.tif 000004
【図４】
0003599146.tif 000005
【図５】
0003599146.tif 000006
【図６】
0003599146.tif 000007
【図７】
0003599146.tif 000008
【図８】
0003599146.tif 000009
【図９】
0003599146.tif 000010
【図１０】
0003599146.tif 000011
【図１１】
0003599146.tif 000012
【図１２】
0003599146.tif 000013